【手続補正書】
【提出日】平成17年10月12日(2005.10.12)
【手続補正１】
【補正対象書類名】特許請求の範囲
【補正対象項目名】請求項３
【補正方法】変更
【補正の内容】
【請求項３】
請求項１または２記載のズームレンズ系において、次の条件式（４）を満足するズームレンズ系。
（４）-０．８５＜ｆｗ／ｆ2＜-０．７
ｆｗ；短焦点距離端における全系の焦点距離、
ｆ2；第２レンズ群の焦点距離。
【手続補正２】
【補正対象書類名】明細書
【補正対象項目名】００２２
【補正方法】変更
【補正の内容】
【００２２】
条件式（４）は負の第２レンズ群のパワーを規定している。条件式（４）の上限を越えて第２レンズ群のパワーが弱くなると、およそ１０倍の変倍比を得るには第２レンズ群の変倍時の移動量が大きくなりレンズ全長を小型に保てなくなる。条件式（４）の下限を超えて第２レンズ群の負のパワーが強くなると、変倍時の移動量は小さくできるが、第２レンズ群での収差発生が大きくなりズーム全域で収差を保つことができなくなる。
【手続補正３】
【補正対象書類名】明細書
【補正対象項目名】００４１
【補正方法】変更
【補正の内容】
【００４１】
（表３Ａ）
FNO.=    1:2.8 - 3.2 - 3.6
f=    5.90 - 18.00 - 56.00
M =   0.000 - 0.000 - 0.000
fB=   3.91 - 3.91 - 3.9
面No.      ｒ            ｄ            Nd        ν
1        44.042        1.40        1.84666      23.8
2        27.472        5.82        1.43875      95.0
3      -120.611        0.10
4        25.064        3.78        1.72916      54.7
5        81.239      1.13-13.06-21.18
6*     100.057        1.00        1.85020      40.8
7        7.220        2.59
8      -13.466        2.01        1.80518      25.4
9       -6.943        0.90        1.88300      40.8
10      17.219        0.12
11      14.736        2.32        1.76182      26.5
12     -23.771      21.95-10.02-1.90
13*     11.881        2.46        1.43426      95.0
14     -11.599        1.00        1.60342      38.0
15     -50.091      13.19-9.50-12.62
16*     15.761        3.08        1.58913      61.2
17     -32.685        6.44
18      21.123        1.00        1.84666      23.8
19       6.908        3.00        1.51742      52.4
20      51.360      0.80-4.48-1.36
21        ∞          2.00        1.51633      64.1
22        ∞            -
NO          Ｋ                   Ａ４                Ａ６              Ａ８
6      -0.10000×101        -0.19860×10-4      0.35050×10-5    -0.14359×10-6
Ａ１０
0.18922×10-8
13     -0.10000×101         0.21211×10-4      0.43985×10-6
16     -0.10000×101        -0.82687×10-4      0.43301×10-6    -0.15115×10-7
【手続補正４】
【補正対象書類名】明細書
【補正対象項目名】００６６
【補正方法】変更
【補正の内容】
【００６６】
（表１１Ｂ）
Fe=    1:2.9 - 3.2 - 3.6
M =  -0.025 - -0.064 - -0.150
fB=  4.19 - 4.19 - 4.19
面No.          ｄ
5      1.10-12.83-18.15
12    22.65-10.91- 5.59
15    13.66- 8.73- 4.56
20     0.95- 5.88-10.06
【手続補正５】
【補正対象書類名】図面
【補正対象項目名】図７
【補正方法】変更
【補正の内容】
【図７】
2005326516.tif 000001
【手続補正６】
【補正対象書類名】図面
【補正対象項目名】図８
【補正方法】変更
【補正の内容】
【図８】
2005326516.tif 000002
【手続補正７】
【補正対象書類名】図面
【補正対象項目名】図９
【補正方法】変更
【補正の内容】
【図９】
2005326516.tif 000003
【手続補正８】
【補正対象書類名】図面
【補正対象項目名】図１６
【補正方法】変更
【補正の内容】
【図１６】
2005326516.tif 000004
【手続補正９】
【補正対象書類名】図面
【補正対象項目名】図１７
【補正方法】変更
【補正の内容】
【図１７】
2005326516.tif 000005
【手続補正１０】
【補正対象書類名】図面
【補正対象項目名】図１８
【補正方法】変更
【補正の内容】
【図１８】
2005326516.tif 000006
【手続補正１１】
【補正対象書類名】図面
【補正対象項目名】図２５
【補正方法】変更
【補正の内容】
【図２５】
2005326516.tif 000007
【手続補正１２】
【補正対象書類名】図面
【補正対象項目名】図２６
【補正方法】変更
【補正の内容】
【図２６】
2005326516.tif 000008
【手続補正１３】
【補正対象書類名】図面
【補正対象項目名】図２７
【補正方法】変更
【補正の内容】
【図２７】
2005326516.tif 000009
【手続補正１４】
【補正対象書類名】図面
【補正対象項目名】図３４
【補正方法】変更
【補正の内容】
【図３４】
2005326516.tif 000010
【手続補正１５】
【補正対象書類名】図面
【補正対象項目名】図３５
【補正方法】変更
【補正の内容】
【図３５】
2005326516.tif 000011
【手続補正１６】
【補正対象書類名】図面
【補正対象項目名】図３６
【補正方法】変更
【補正の内容】
【図３６】
2005326516.tif 000012
【手続補正１７】
【補正対象書類名】図面
【補正対象項目名】図４３
【補正方法】変更
【補正の内容】
【図４３】
2005326516.tif 000013
【手続補正１８】
【補正対象書類名】図面
【補正対象項目名】図４４
【補正方法】変更
【補正の内容】
【図４４】
2005326516.tif 000014
【手続補正１９】
【補正対象書類名】図面
【補正対象項目名】図４５
【補正方法】変更
【補正の内容】
【図４５】
2005326516.tif 000015
【手続補正２０】
【補正対象書類名】図面
【補正対象項目名】図５２
【補正方法】変更
【補正の内容】
【図５２】
2005326516.tif 000016
【手続補正２１】
【補正対象書類名】図面
【補正対象項目名】図５３
【補正方法】変更
【補正の内容】
【図５３】
2005326516.tif 000017
【手続補正２２】
【補正対象書類名】図面
【補正対象項目名】図５４
【補正方法】変更
【補正の内容】
【図５４】
2005326516.tif 000018
【手続補正２３】
【補正対象書類名】図面
【補正対象項目名】図６１
【補正方法】変更
【補正の内容】
【図６１】
2005326516.tif 000019
【手続補正２４】
【補正対象書類名】図面
【補正対象項目名】図６２
【補正方法】変更
【補正の内容】
【図６２】
2005326516.tif 000020
【手続補正２５】
【補正対象書類名】図面
【補正対象項目名】図６３
【補正方法】変更
【補正の内容】
【図６３】
2005326516.tif 000021
【手続補正２６】
【補正対象書類名】図面
【補正対象項目名】図７０
【補正方法】変更
【補正の内容】
【図７０】
2005326516.tif 000022
【手続補正２７】
【補正対象書類名】図面
【補正対象項目名】図７１
【補正方法】変更
【補正の内容】
【図７１】
2005326516.tif 000023
【手続補正２８】
【補正対象書類名】図面
【補正対象項目名】図７２
【補正方法】変更
【補正の内容】
【図７２】
2005326516.tif 000024
【手続補正２９】
【補正対象書類名】図面
【補正対象項目名】図７９
【補正方法】変更
【補正の内容】
【図７９】
2005326516.tif 000025
【手続補正３０】
【補正対象書類名】図面
【補正対象項目名】図８０
【補正方法】変更
【補正の内容】
【図８０】
2005326516.tif 000026
【手続補正３１】
【補正対象書類名】図面
【補正対象項目名】図８１
【補正方法】変更
【補正の内容】
【図８１】
2005326516.tif 000027
【手続補正３２】
【補正対象書類名】図面
【補正対象項目名】図８８
【補正方法】変更
【補正の内容】
【図８８】
2005326516.tif 000028
【手続補正３３】
【補正対象書類名】図面
【補正対象項目名】図８９
【補正方法】変更
【補正の内容】
【図８９】
2005326516.tif 000029
【手続補正３４】
【補正対象書類名】図面
【補正対象項目名】図９０
【補正方法】変更
【補正の内容】
【図９０】
2005326516.tif 000030
【手続補正３５】
【補正対象書類名】図面
【補正対象項目名】図９７
【補正方法】変更
【補正の内容】
【図９７】
2005326516.tif 000031
【手続補正３６】
【補正対象書類名】図面
【補正対象項目名】図９８
【補正方法】変更
【補正の内容】
【図９８】
2005326516.tif 000032
【手続補正３７】
【補正対象書類名】図面
【補正対象項目名】図９９
【補正方法】変更
【補正の内容】
【図９９】
2005326516.tif 000033